(57)【特許請求の範囲】
【請求項１】
複数の子部品から構成された親部品に関する親部品情報と、前記複数の子部品に関する子部品情報とを格納したデータベースから、前記親部品情報を廃止する際に、前記子部品情報を処理する部品情報処理方法であって、
前記親部品が他の親部品の子部品として構成している場合と、
前記子部品が、他の親部品の子部品を構成している場合とは、前記子部品情報を前記データベースに残しておき、
前記親部品が他の親部品の子部品として構成していない場合と、
前記子部品が、前記親部品のみを構成している場合とは、前記データベースにおいて、部品情報に販売期限と納品期限とを設定することを特徴とする部品情報処理方法。
【請求項２】
複数の子部品から構成された親部品に関する親部品情報と、前記複数の子部品に関する子部品情報とから、前記親部品情報を廃止する際に、前記子部品情報を処理する部品情報処理装置であって、
前記親部品情報と子部品情報とを格納したデータベースと、
前記親部品情報を前記データベースで廃止する際に、前記複数の子部品情報を検索する子部品情報検索手段と、
この子部品情報検索手段によって検索された子部品情報のうち、前記子部品が、他の親部品の子部品を構成している場合は、前記子部品情報を前記データベースに残しておき、前記子部品が、前記親部品のみを構成している場合における前記データベースの部品情報に販売期限と納品期限とを設定する手段とを備えていることを特徴とする部品情報処理装置。
【請求項３】
請求項２記載の部品情報処理装置と、この部品情報処理装置に接続可能な検索端末とを備え、
前記検索端末には、前記データベース上の親部品情報と子部品情報の検索を要求する検索要求手段と、
この検索要求手段によって検索された情報を表示する表示手段とを備えていることを特徴とする部品情報処理システム。
【請求項４】
請求項３記載の部品情報処理システムにおいて、
前記検索端末では、前記親部品または子部品の販売期限または納品期限の期限以降は、前記廃止された親部品情報と子部品情報に関しては前記データベースから検索できないことを特徴とする部品情報処理システム。
【請求項５】
複数の子部品から構成された親部品に関する親部品情報と、前記複数の子部品に関する子部品情報とから、前記親部品情報を廃止する際に、前記子部品情報を処理するために必要なコンピュータが読み取り可能なプログラムが記録される記憶媒体であって、
前記親部品情報をデータベースから廃止する際に、前記複数の子部品情報を検索する子部品情報検索ステップと、
この子部品情報検索ステップによって検索された子部品情報のうち、前記子部品が、他の親部品の子部品を構成している場合は、前記子部品情報を前記データベースに残しておき、前記子部品が、前記親部品のみを構成している場合における前記データベースの部品情報に販売期限と納品期限との期限を設定するステップとを実現する処理を含むプログラムを記録したことを特徴とする記録媒体。
【発明の詳細な説明】
【０００１】
【発明の属する技術分野】
本発明は部品の廃止に伴う部品情報のデータベースの情報処理方法、装置、システム、および記録媒体に関するものである。
【０００２】
【背景の技術】
種類と数の多い部品の管理を人手によって行うのは手間のかかる作業である。また、部品は一部品のみを用いる場合の他に、複数を組み合わせて用いることが多く、一部品が、複数の部品が組み合わされた親部品の構成要素となり、複数の親部品に一部品が関係することがある。そのような部品の管理を行う際、部品の情報をデータベースに登録して管理・参照・検索する例として、特開平５−４０７９１号公報に記載の技術が知られている。この技術は部品情報を部品データベースに自動登録する方法であり、部品番号に応じて部品の形状等を解析し、その情報を部品データベースに登録することにより、人手によって部品の内容をカタログ等から調べる手間を省くものである。
【０００３】
【発明が解決しようとする課題】
しかし、上記従来の技術には以下のような課題があった。
第１に、データベースに蓄積される部品情報のうち、廃止の旨を登録するデータベースのメンテナンス作業は手間がかかり、情報処理効率を悪化させる可能性がある。
第２に、次々と新しい部品が作られ、部品の種類が増える一方で、販売が中止される部品が発生する。このとき、親部品の廃止に伴い、その親部品を構成する子部品についても廃止にする必要があるが、子部品は数種類の親部品の構成物となっている場合があり、各子部品が真に廃止してよい部品であるか否かを確認する作業は非常に手間がかかる。
第３に、部品の販売締め切り日から実際に納品が終了する日の間には時差があり、販売締め切り日以降の既に納品が不可能となった時期に、データベースの検索が行われる場合、該廃止部品が検索可能であると、既に納品が不可能である当該廃止部品が検索結果として表示され、検索者が購買可能と誤認し、誤って発注してしまう可能性がある。
本発明は、上記課題を鑑みてなされるものであり、部品情報を格納したデータベースにおいて、子部品が組み合わされてなる親部品の廃止に伴う、子部品の部品情報を廃止する作業を軽減した部品情報処理方法、装置、システム、および記録媒体を提供することを目的とする。
【０００４】
【課題を解決するための手段】
上記課題に対し、請求項１の発明は、例えば図２〜図４に示すように、複数の子部品（例えば、子部品ａ〜ｇ）から構成された親部品（例えば、親部品Ａ）に関する親部品情報と、前記複数の子部品（例えば、子部品ａ〜ｇ）に関する子部品情報とを格納したデータベース９ｂから、前記親部品情報を廃止する際に、前記子部品情報を処理する部品情報処理方法であって、
前記親部品（例えば、親部品Ａ）が、他の親部品（例えば、親部品Ｂ〜Ｊ）の子部品として構成している場合と、
前記子部品（例えば、子部品ａ〜ｇ）が、他の親部品（例えば、親部品Ｂ〜Ｊ）の子部品（例えば、子部品ａ，ｃ，ｅ，ｆ，ｇ）を構成している場合とは、前記子部品情報を前記データベース９ｂに残しておき、
前記親部品（例えば、親部品Ａ）が他の親部品（例えば、親部品Ｂ〜Ｊ）の子部品として構成していない場合と、
前記子部品（例えば、子部品ｂ，ｄ）が、前記親部品（例えば、親部品Ａ）のみを構成している場合とは、前記データベースにおいて、部品情報に販売期限と納品期限を設定することを特徴としている。
【０００５】
請求項１の発明によれば、前記親部品情報と前記子部品情報とを格納したデータベース９ｂから前記親部品情報を廃止する際に、前記子部品（例えば、子部品ａ，ｃ，ｅ，ｆ，ｇ）が他の親部品（例えば、親部品Ｂ〜Ｊ）の子部品を構成している場合は、前記子部品情報を前記データベース９ｂに残しておき、前記子部品（例えば、子部品ｂ，ｄ）が、前記親部品（例えば、親部品Ａ）のみを構成している場合は、前記データベース９ｂの部品情報に販売期限と納品期限とを設定するので、親部品情報の廃止に応じて、該親部品を構成する子部品情報から廃止可能な該子部品の情報を廃止することとなる。また、他の親部品（例えば、親部品Ｂ〜Ｊ）を構成する子部品（例えば、子部品ａ，ｃ，ｅ，ｆ，ｇ）の情報を誤って廃止することを防ぐことができる。さらに、前記データベース９ｂの部品情報に販売期限と納品期限とを設定するので、前記廃止される部品（例えば、親部品Ａ，子部品ｂ，ｄ）の販売期限と納品期限とを確認することができるので、該廃止される部品（例えば、親部品Ａ，子部品ｂ，ｄ）の販売期限後に誤って販売契約を結ぶことを防ぐ。また、該廃止される部品（例えば、親部品Ａ，子部品ｂ，ｄ）の販売期限と納品期限を検索時に確認することができる。
【０００６】
ここで親部品は複数の子部品から構成された親部品の他、複数の子部品で構成された製品を含むものとする。親部品情報とは、複数の子部品から構成された親部品や製品に関する情報であり、例えば、親部品や製品の用途、形状、構成される子部品の種類や数等の情報が含まれる。また、子部品情報とは親部品や製品を構成する子部品の情報であり、例えば、部品の形状、大きさ、色、材料等を含む仕様や用途等が含まれる。
【０００７】
ここで、販売期限とは、例えば、部品の販売契約を行うことが可能な期限であり、納品期限とは、例えば、部品の販売契約に伴う部品の注文を受けて該部品を生産し、納品が可能な期間のことである。
【０００８】
請求項２の発明は、例えば、図２および図４に示すように、複数の子部品（例えば、子部品ａ〜ｇ）から構成された親部品（例えば、親部品Ａ）に関する親部品情報と、前記複数の子部品（例えば、子部品ａ〜ｇ）に関する子部品情報とから、前記親部品情報を廃止する際に、前記子部品情報を処理する部品情報処理装置２であって、前記親部品情報と子部品情報とを格納したデータベース９ｂと、前記親部品情報を前記データベース９ｂで廃止する際に、前記複数の子部品情報を検索する子部品情報検索手段（例えば、ＣＰＵ７，ＲＡＭ８）と、この子部品情報検索手段（例えば、ＣＰＵ７，ＲＡＭ８）によって検索された子部品情報のうち、前記子部品（例えば、子部品ａ，ｃ，ｅ，ｆ，ｇ）が、他の親部品の子部品を構成している場合は、前記子部品情報を前記データベースに残しておき、前記子部品（例えば、子部品ｂ，ｄ）が、前記親部品（例えば、親部品Ａ）のみを構成している場合における前記データベースの部品情報に販売期限と納品期限の期限を設定する処理（例えば、ＣＰＵ７，ＲＡＭ８）とを備えていることを特徴としている。
【０００９】
請求項２の発明によれば、前記親部品情報を前記データベース９ｂで廃止する際に、該親部品（例えば、親部品Ａ）を構成する前記複数の子部品（例えば、子部品ａ〜ｇ）の子部品情報を検索する子部品情報検索手段（例えば、ＣＰＵ７，ＲＡＭ８）を備えているので、親部品情報の廃止に伴い、該親部品（例えば、親部品Ａ）を構成する子部品情報を容易に検索できる。さらに、この子部品情報検索手段（例えば、ＣＰＵ７，ＲＡＭ８）によって検索された子部品情報のうち、前記子部品（例えば、子部品ｂ，ｄ）が前記親部品（例えば、親部品Ａ）のみを構成している場合における前記データベース９ｂの部品情報に販売期限と納品期限の期限を設定する処理（例えば、ＣＰＵ７，ＲＡＭ８）を行うので、廃止する親部品（例えば、親部品Ａ）を構成する子部品（例えば、子部品ａ〜ｇ）のうち、廃止可能な子部品（例えば、子部品ｂ，ｄ）と廃止できない子部品（例えば、子部品ａ，ｃ，ｅ，ｆ，ｇ）を容易に分別でき、該親部品（例えば、親部品Ａ）を構成する子部品（例えば、子部品ａ〜ｇ）で他の親部品（例えば、親部品Ｂ〜Ｊ）を構成する子部品（例えば、子部品ａ，ｃ，ｅ，ｆ，ｇ）を誤って前記データベース９ｂで廃止することを防ぐ。さらに、前記データベース９ｂの部品情報に販売期限と納品期限とを設定するので、前記廃止される部品（例えば、親部品Ａ，子部品ｂ，ｄ）の販売期限と納品期限とを確認することができるので、該廃止される部品（例えば、親部品Ａ，子部品ｂ，ｄ）の販売期限後に誤って販売契約を結ぶことを防ぐ。また、販売期限と納品期限を検索時に確認することができる。
【００１０】
請求項３の発明である部品情報処理システム１は、例えば、図１に示すように、請求項２記載の部品情報処理装置２と、この部品情報処理装置２に接続可能な検索端末３とを備え、
前記検索端末３には、前記データベース上の親部品情報と子部品情報の検索を要求する検索要求手段（例えば、ＣＰＵ，ＲＡＭ）と、
この検索要求手段（例えば、ＣＰＵ，ＲＡＭ）によって検索された情報を表示する表示手段（例えば、表示装置）とを備えていることを特徴としている。
【００１１】
請求項３の発明によれば、前記部品情報処理装置２と、この部品情報処理装置２に接続可能な検索端末３とを備え、前記検索端末３には、前記データベース９ｂ上の親部品情報と子部品情報の検索を要求する検索要求手段（例えば、ＣＰＵ，ＲＡＭ）を備えているので、親部品（例えば、親部品Ａ〜Ｊ）と子部品（例えば、子部品ａ〜ｇ）とに関する情報の検索を容易かつ迅速に行うことができ、また、この検索要求手段（例えば、ＣＰＵ，ＲＡＭ）によって検索された情報を表示する表示手段（例えば、表示装置）とを備えているので、検索結果を検索端末３に表示でき、容易に確認することができる。
【００１２】
ここで、検索端末３とは、例えばパーソナルコンピュータ等を含む構成であり、検索を行う為の入力処理が行われるものである。
また、表示手段は、例えば、ＣＲＴ（Cathode  Ray  Tube）、ＬＣＤ（Liquid  Crystal  Display）、プリンタ等により構成され、ＣＰＵの表示制御に従い、データベースの検索結果等を画面上あるいはプリンタで出力した用紙に表示する。
【００１３】
請求項４の発明である部品情報処理システム１は、請求項３記載の部品情報処理システム１において、
前記検索端末３では、前記親部品（例えば、親部品Ａ）または子部品（例えば、子部品ｂ，ｄ）の販売期限または納品期限の期限以外においては、前記廃止された親部品情報と子部品情報に関しては前記データベース９ｂから検索できないことを特徴としている。
【００１４】
請求項４の発明によれば、親部品（例えば、親部品Ａ）または子部品（例えば、子部品ｂ，ｄ）の販売期限または納品期限の期限以外においては、前記検索端末３では前記廃止すべき親部品情報と子部品情報とに関しては前記データベース９ｂから検索できないので、販売期限後に前記データベース９ｂを検索しても、該廃止された親部品（例えば、親部品Ａ）と子部品（例えば、子部品ｂ，ｄ）とが表示されることがなく、販売不可能となった該廃止された親部品（例えば、親部品Ａ）の販売契約を誤って行うことを防ぐことができる。
【００１５】
請求項５の発明は、複数の子部品（例えば、子部品a〜ｇ）から構成された親部品（例えば、親部品Ａ）に関する親部品情報と、前記複数の子部品（例えば、子部品ａ〜ｇ）に関する子部品情報とから、前記親部品情報を廃止する際に、前記子部品情報を処理するために必要なコンピュータが読み取り可能なプログラムが記録される記憶媒体９であって、例えば、図３に示すように、前記親部品情報をデータベース９ｂで廃止する際に、前記複数の子部品情報を検索する子部品情報検索ステップＳ２と、この子部品情報検索ステップＳ２によって検索された子部品情報のうち、前記子部品（例えば、子部品ａ，ｃ，ｅ，ｆ，ｇ）が、他の親部品の子部品を構成している場合は、前記子部品情報を前記データベースに残しておき、前記子部品（例えば、子部品ｂ，ｄ）が、前記親部品（例えば、親部品Ａ）のみを構成している場合における前記データベース９ｂの部品情報に販売期限と納品期限との期限を設定するステップＳ３とを実現する処理を含むプログラムを記録したことを特徴としている。
【００１６】
請求項５の発明によれば、前記親部品情報を廃止する際に、前記子部品情報を処理するために必要なコンピュータが読み取り可能なプログラムが記録される記憶媒体９であり、親部品情報を廃止する際に前記複数の子部品情報を検索する子部品情報検索ステップＳ２と該子部品情報検索ステップＳ２によって検索された子部品情報のうち前記子部品（例えば、子部品ｂ，ｄ）が、前記親部品（例えば、親部品Ａ）のみを構成している場合における前記データベース９ｂの部品情報に販売期限と納品期限との期限を設定するステップＳ３とを実現する処理を行う為に必要なプログラムが記録されているので、必要に応じてこの記録媒体９に記録されたプログラムによって、子部品情報検索ステップＳ２と販売期限と納品期限との期限を設定するステップＳ３とにおける処理を自動的に行うことができる。
【００１７】
【発明の実施の形態】
以下、図面を参照して本発明に係る部品情報処理方法、装置２、システム１、および記録媒体９について説明する。図１は本発明における部品情報処理方法、装置２、システム１の実施の形態の一例の全体構成を示すブロック図である。本発明における部品情報処理システム１はエクストラネット（ネットワーク４）を用いて、部品情報処理装置２と検索端末３と、管理端末５とが接続されて構成される。
【００１８】
部品情報処理装置２は、図２に示すように内部にＣＰＵ（Central  Processing  Unit）７と、ＲＡＭ（Random  Access  Memory）８と、記録装置９と、入力装置１０と、表示装置１１と、通信装置１２と、等を備え、それらはバス１３や各種インターフェースを介して接続されている。
ＣＰＵ７は、記録装置９に格納されているシステムプログラムやデータベース９ｂの検索や検索結果の表示処理に対応する各種アプリケーションプログラムや、検索端末３や管理端末５から入力される各種指示信号に応じた各種データ等をＲＡＭ８に格納し、この指示及び入力データに応じてＲＡＭ８内に格納したアプリケーションプログラムに従って各種処理を実行し、その処理結果をＲＡＭ８に一時的に格納するとともに、処理結果を通信装置１２を介して検索端末３に送信する。また、ＣＰＵ７は、一部或いは全部の処理結果情報を、記録装置９のデータベースに記憶させるようになっている。
【００１９】
ＲＡＭ８は、ＣＰＵ７がプログラム記憶部９ａに格納されたプログラムを実行する際に各種データを展開するプログラム格納領域を形成するとともに、ＣＰＵ７が実行する処理に関わるデータを一時的に記憶する記憶領域、入力指示と入力データとによって処理される作業領域等を形成する。
【００２０】
記録装置９は、プログラムやデータ等が予め記憶されたハードディスク装置であり、このハードディスク装置のハードディスク（記録装置９）には、プログラム記憶部９ａと、データベース記憶部９ｂとが設けられている。また、このデータベース記憶部９ｂには、入力装置１０や管理端末５からの操作により、部品情報を前記データベース９ｂで廃止したり、追加情報を前記データベース９ｂに書き込むことができるようになっている。前記記録装置９は、プログラムやデータ等が記憶された記録媒体を有しているが、この記録媒体は光学的なものの他、磁気的、若しくは半導体メモリ等で構成してもよい。この記録媒体は記憶装置９に固定的に設けたもの（例えば、磁気テープ、ハードディスク等）でもよく、着脱自在に設けたもの（例えば、ＦＤＤ、ＭＯ、ＬＤ、ＤＶＤ、ＺＩＰ等）でもよい。
【００２１】
プログラム記憶部９ａは、本発明の部品情報処理装置２におけるデータベース９ｂの検索処理と、その検索結果の表示と、データベースに格納される情報の追加、訂正等を行う処理に必要なプログラムコード等を記憶している。
データベース記憶部９ｂは、現在使用可能な部品に関する部品情報がデータベースとして記憶されている。記憶されている部品情報としては、親部品（例えば、親部品Ａ〜Ｊ）ならびに子部品（例えば、子部品ａ〜ｇ）の表記名称と、形状や材質といった仕様情報と、その部品の用途等とが含まれ、親部品（例えば、親部品Ａ〜Ｊ）の部品情報には該親部品（例えば、親部品Ａ〜Ｊ）を構成する子部品（例えば、子部品ａ〜ｇ）の種類および数量が含まれ、子部品（例えば、子部品ａ〜ｇ）の部品情報には該子部品（例えば、子部品ａ〜ｇ）が構成する親部品（例えば、親部品Ａ〜Ｊ）の種類および必要な数量が含まれている。
【００２２】
通信装置１２は、モデム（ＭＯＤＥＭ：MOdulator/DEModulator）、ターミナルアダプタ（ＴＡ：Terminal  Adapter）、あるいはルーター等によって構成され、電話回線、ＩＳＤＮ回線、あるいは専用線等の通信回線を介して検索端末３あるいは管理端末５との間で情報や情報取得請求の信号の送受信を行う。
【００２３】
入力装置１０は、キーボードの他、マウス、タッチペン等のポインティングデバイスを備えている。
【００２４】
表示装置１１は、例えば、ＣＲＴ（Cathode  Ray  Tube）、ＬＣＤ（Liquid  Crystal  Display）等により構成され、ＣＰＵ７の表示制御に従い、データベース９ｂの検索結果等を画面上に表示する。
【００２５】
印刷装置１４はプリンタ６ａであり、ＣＰＵ７からの指示に従い、データベース記憶部９ｂに格納された部品情報を出力して表示する。
【００２６】
検索端末３は例えば、パーソナルコンピュータ等を含む構成であり、ＣＰＵ、ＲＡＭ、ハードディスク装置、入力装置、通信装置と、表示装置、印刷装置等とを備え、それらはバスや各種インターフェースを介して接続されている。
【００２７】
ＣＰＵは、ハードディスク装置に格納されているシステムプログラムやデータベース９ｂの検索結果の表示処理に対応する各種アプリケーションプログラムや、検索端末３から送信した各種指示信号に応じて部品情報処理装置２から伝送される情報表示に関する処理結果等をＲＡＭに一時的に格納し、この処理結果を表示装置に表示させる処理を行うようになっている。
【００２８】
ＲＡＭは、ＣＰＵがハードディスク装置に格納されたプログラムを実行する際に各種データを展開するプログラム格納領域を形成するとともに、ＣＰＵが実行する処理に関わるデータを一時的に記憶する記憶領域、入力指示と入力データとによって処理される作業領域等を形成する。
【００２９】
ハードディスク装置にはＯＳ（オペレーティングシステム）等の制御プログラム、ネットワーク接続に必要なアプリケーションプログラム等が記憶されている。
【００３０】
入力装置は、キーボードの他、マウス、タッチペン等のポインティングデバイスを備えており、データベース９ｂの検索要求項目等の入力に用いる。
【００３１】
通信装置は、モデム（ＭＯＤＥＭ：MOdulator/DEModulator）、ターミナルアダプタ（ＴＡ：Terminal  Adapter）、あるいはルーター等によって構成され、電話回線、ＩＳＤＮ回線、あるいは専用線等の通信回線を介して部品情報処理装置２との間で情報や情報取得請求の信号の送受信を行う。
【００３２】
印刷装置はプリンタ６であり、ＣＰＵからの指示に従い、部品情報処理装置２から送信されたデータベース９ｂの検索結果を印刷する。
【００３３】
管理端末５は、例えばＬＡＮケーブルあるいは通信ネットワークを介して部品情報処理装置２に接続し、検索端末３と同様にデータベース９ｂの検索要求を行うだけでなく、部品情報処理装置２の記録装置９に新規の部品情報や、廃止したい部品の部品情報を登録が可能な機能を備えている。
前記管理端末３は例えば、パーソナルコンピュータ等を含む構成であり、ＣＰＵ、ＲＡＭ、ハードディスク装置、入力装置、通信装置と、表示装置と印刷装置等とを備え、それらはバスや各種インターフェースを介して接続される。ＲＡＭ、ハードディスク装置、通信装置、表示装置、印刷装置は前記検索端末と同様の機能を有するので説明を割愛し、ＣＰＵおよび入力装置について説明する。
【００３４】
ＣＰＵは、ハードディスク装置に格納されているシステムプログラムやデータベース９ｂの検索結果の表示処理に対応する各種アプリケーションプログラムや、管理端末５から送信した各種指示信号に応じて部品情報処理装置２から伝送される情報表示に関する処理結果等をＲＡＭに一時的に格納し、この処理結果を表示装置に表示させる処理や、データベース記憶部に記録された情報を変更する場合は入力装置によってその内容を入力し、変更した情報を前記部品情報処理装置２に送信する処理を行うようになっている。
【００３５】
入力装置は、キーボードの他、マウス、タッチペン等のポインティングデバイスを備えており、検索要求項目等の入力や、データベース記憶部９ｂへの情報の追加、変更の信号や、登録内容の情報の入力に用いる。
【００３６】
次に、本実施の形態の部品情報処理装置２を用いた部品情報処理方法の動作について説明する。
前記データベースに格納された情報は、部品情報処理装置２の入力装置１０や、部品情報処理装置２に接続可能な検索端末３と管理端末５とによって検索できる。発注部品の選定時など部品情報の検索が必要な場合に、検索端末３に必要な検索項目を入力装置を用いて入力し、検索処理の信号を送ると、前記部品情報処理装置２で、検索処理が行われ、その処理結果が前記検索端末３の表示装置に表示される。続いて前記データベースに格納された部品情報の変更に伴う情報処理を説明する。前記データベースの情報を変更する場合は、前記入力装置１０または管理端末５によって行い、前記検索端末３からは前記データベースの情報を変更する操作は行うことができないように制御されている。
【００３７】
図３および図４は、親部品の廃止に伴う子部品の廃止の例を示す図である。一つの親部品Ａの廃止が決まると、親部品Ａの決められた販売期限に基づいて納品期限が設定され、ステップＳ１の部品情報の管理者が入力装置１０または管理端末５から該販売期限を親部品Ａの部品情報に登録する。親部品Ａの廃止とその販売期限の情報の登録を受けて、ステップＳ２の子部品情報検索ステップによって親部品Ａを構成するすべての子部品ａ〜ｇを検索し、親部品Ａを構成するそれぞれの子部品ａ，ｂ，…，ｇが他の親部品Ｂ〜Ｊの構成部品となっているかどうかを確認する処理が行われる。なお、親部品が単独の部品である場合は、その親部品に関する親部品情報を廃止する処理が行われる。ステップＳ３によって、子部品ａ，ｃ，ｅ，ｆ，ｇが他の親部品Ｂ〜Ｊの構成子部品となっている場合は廃止の条件に合致しないので該子部品情報は廃止されない。一方、親部品Ａを構成する子部品ｂ，ｄのように親部品Ａのみを構成している場合は廃止の条件に合致するので、前記データベース９ｂの部品情報に販売期限と納品期限とを設定する処理へ進み、該子部品ｂ，ｄの部品情報には、親部品Ａと同様に販売期限と納品期限とが登録される。
【００３８】
このようにして前記データベース９ｂでの廃止が決まった親部品Ａと、子部品ｂおよびｄの部品情報は販売期限までは他の部品情報と同様に検索が可能であるが、前記販売期限が過ぎれば、前記検索端末３から前記データベース９ｂを検索する際の検索対象とならず、前記検索端末３には検索結果に該部品情報が表示されなくなるように制御される。
また、部品情報処理装置２における上記一連の処理の結果は、管理端末５の表示装置またはプリンタ６ｃによる出力用紙に表示することが可能であり、管理者は処理の経過を確認することができる。
【００３９】
なお、記録媒体９には、上述したような処理を実行するためのプログラムや、新製品情報、子部品情報が記録されている。そして部品情報処理装置では管理者が入力した部品情報の廃止の登録信号を受け、前記記録媒体９のプログラム記憶部９ａに記録された必要なプログラムが起動し処理を行う。子部品情報検索ステップＳ２によって検索処理が行われる場合は、記録媒体９のデータベース９ｂから廃止しようとする親部品を構成する全ての子部品に関する部品情報が検索される。このように、記録媒体９に格納されたデータベース９ｂは、管理端末５からの指示信号を受けて、プログラム記憶部９ａに記録されたプログラムに基づく処理が行われ、情報が適宜表示、変更、廃止される。
【００４０】
上記実施の形態に基づく部品情報処理方法、装置２、システム１、および記録媒体９によれば、親部品または製品の廃止が決まると、データベース９ｂに記録されている部品情報に、その親部品または製品の販売期限と納品期限を登録することで、前記親部品または製品のデータベース９ｂの検索処理と、廃止可能な子部品の選出と、該廃止可能な子部品の部品情報の廃止を自動で行うことが可能である。よって、親部品の廃止に伴う、該廃止される親部品とその構成子部品の部品情報の処理を容易に行うことができるだけでなく、前記データベース９ｂから廃止可能な部品情報が廃止されずに記録されていたり、廃止できない部品を誤って廃止してしまうことがなく、そのような場合の情報を修復する処理の手間が省ける。
【００４１】
なお、本実施の形態では、担当者によって部品情報処理装置２に廃止部品の登録を行うと、子部品情報検索ステップＳ２から販売期限と納品期限とを設定するステップＳ３までの処理を全て部品情報処理装置２で行う例を示したが、これに限定するものではなく、たとえば、販売期限と納品期限とを設定するステップＳ３において、部品情報を廃止する処理の前に前記管理端末５の表示装置１１に廃止可能な部品の情報を表示し、管理者が廃止に該当する部品を確認して部品廃止の最終判断を行い、その部品廃止の判断結果を管理者が登録する方法であってもよく、要は廃止すべき部品の部品情報が確認でき、必要に応じて前記データベース９ｂの販売期限と納品期限との期限を設定することができればよい。
また、本実施の形態の例における部品情報処理システム１のネットワーク４はエクストラネットとしたが、これに限定するものではなく、例えば、インターネットやＬＡＮ（Local  Area  Network）等を用いてもよく、要は複数の端末から前記部品情報処理装置２に接続可能であればよい。
なお、本実施の形態の例における管理端末５はネットワーク４を介して前記部品情報処理装置２に接続したが、例えば、部品情報処理装置２にバス１３や各種インターフェースを介して一体的に組み込まれた入力装置１０を用いて操作するものであってもよく、要は管理端末５から部品情報処理装置２のデータベース記憶部９ｂに格納された部品情報を参照したり、部品情報の登録、廃止等の処理を行う信号を送信でき、かつ処理結果を表示装置に表示することができるものであればよい。
【００４２】
【発明の効果】
請求項１の発明によれば、親部品情報と子部品情報とを格納したデータベースから前記親部品情報を廃止する際に、親部品情報の廃止に応じて、該親部品を構成する子部品情報から廃止可能な該子部品の情報を選択し廃止するので、他の親部品を構成する子部品の情報を誤って廃止することを防ぐことができる。また、該廃止される部品の部品情報に販売期限と納品期限とが設定されるので、検索者が該廃止される部品の販売期限と納品期限とを確認することができる。
【００４３】
請求項２の発明によれば、前記親部品情報を前記データベースから廃止する際に、該親部品を構成する前記子部品情報を検索する子部品情報検索手段と、前記子部品が前記親部品のみを構成している場合に前記データベースの部品情報に販売期限と納品期限とを設定する処理を備えているので、親部品情報の廃止に伴い、該親部品を構成する子部品情報を容易に検索できるだけでなく、廃止する親部品を構成する子部品の廃止可能性の有無を容易に分別でき、該親部品を構成する子部品で他の親部品を構成する子部品を誤って前記データベースから廃止することを防ぐ。
【００４４】
請求項３の発明によれば、請求項２と同様の効果を得ることができるのは勿論のこと、部品情報処理システムは、前記部品情報処理装置と、この部品情報処理装置に接続可能であり前記データベース上の部品情報を検索する検索手段を備えた検索端末とを備え、前記検索端末は検索された情報を表示する表示手段とを備えているので、親部品と子部品とに関する情報の検索を容易かつ迅速に検索し、その検索結果を検索端末の表示装置に表示でき、容易に検索結果を確認することができる。
【００４５】
請求項４の発明によれば、請求項３と同様の効果を得ることができるのは勿論のこと、親部品または子部品の販売期限または納品期限までの期限以外は、前記検索端末では前記廃止すべき部品情報に関しては前記データベースから検索できないので、販売期限後に前記データベースを検索しても、該廃止された親部品と子部品とが表示されることがなく、販売不可能となった該廃止された部品の販売契約を誤って行うことを防ぐことができる。
【００４６】
請求項５の発明によれば、前記親部品情報を廃止する際に、前記子部品情報を処理するために必要なコンピュータが読み取り可能なプログラムが記録される記憶媒体であり、親部品情報の廃止する際に前記子部品情報検索ステップと前記販売期限と納品期限との期限を設定するステップとを実現する処理を行う為に必要なプログラムが記録されているので、必要に応じてこの記録媒体に記録されたプログラムによって、子部品情報検索ステップと販売期限と納品期限との期限を設定するステップとにおける処理を自動的に行うことができる。
【図面の簡単な説明】
【図１】本発明の部品情報処理システムの一例を示すシステム構成図である。
【図２】本発明の部品情報処理装置の要部構成を示すブロック図である。
【図３】本発明の部品情報処理方法の手順を示すフローチャートである。
【図４】本発明の部品情報処理方法の部品の処理方法を説明する為の図である。
【符号の説明】
１  部品情報処理システム
２  部品情報処理装置
９  記録媒体
９ｂ  データベース記憶部
【図１】
0004430213.tif 000002
【図２】
0004430213.tif 000003
【図３】
0004430213.tif 000004
【図４】
0004430213.tif 000005